(57)【要約】【課題】プルアップ抵抗またはプルダウン抵抗をＩＣ内部に形成しても高精度に抵抗測定を行うことができる抵抗測定装置、抵抗測定用集積回路及び抵抗測定方法を提供する。【解決手段】通常時は、負荷接続用スイッチＳＷ１がオン、リファレンス抵抗接続用スイッチＳＷ２がオフとなっており、このとき、スイッチＳＷ１とサーミスタ１の接続点Ｐ１の電圧がＡ／Ｄ変換器７のチャンネルＣＨ１に入力され、プルアップ抵抗Ｒ１の抵抗値補正時には、負荷接続用スイッチＳＷ１がオフ、リファレンス抵抗接続用スイッチＳＷ２がオンとなり、このとき、スイッチＳＷ２とリファレンス抵抗４の接続点Ｐ２の電圧がＡ／Ｄ変換器７のチャンネルＣＨｒｅｆに入力される。そして、これらの電圧値を演算することにより、プルアップ抵抗Ｒ１の抵抗値のばらつき、温度特性による抵抗値変化があってもサーミスタ１の抵抗値を高精度に求めることができる。【選択図】        図１
2005003596.tif 000002
【特許請求の範囲】
【請求項１】
被測定抵抗をプルアップ抵抗またはプルダウン抵抗に接続し、接続点の電圧を検出することにより被測定抵抗の抵抗値を測定する抵抗測定装置において、
リファレンス抵抗と、
プルアップ抵抗またはプルダウン抵抗を被測定抵抗と上記リファレンス抵抗との間で切替える切替手段とを備え、
上記プルアップ抵抗またはプルダウン抵抗をリファレンス抵抗に接続した時の接続点の電圧により上記プルアップ抵抗またはプルダウン抵抗の抵抗値補正を行うことを特徴とする抵抗測定装置。
【請求項２】
上記プルアップ抵抗またはプルダウン抵抗を複数個備え、
上記リファレンス抵抗を複数個のプルアップ抵抗またはプルダウン抵抗の抵抗値補正に兼用したことを特徴とする請求項１に記載の抵抗測定装置。
【請求項３】
プルアップ抵抗とプルダウン抵抗の両方を備え、
上記リファレンス抵抗をプルアップ抵抗とプルダウン抵抗の抵抗値補正に兼用したことを特徴とする請求項１に記載の抵抗測定装置。
【請求項４】
上記プルアップ抵抗またはプルダウン抵抗を被測定抵抗に接続するスイッチ手段と、
上記プルアップ抵抗またはプルダウン抵抗を上記リファレンス抵抗に接続するスイッチ手段とを備え、
上記両者のスイッチ手段の特性を同一としたことを特徴とする請求項１に記載の抵抗測定装置。
【請求項５】
上記プルアップ抵抗またはプルダウン抵抗として被測定抵抗接続用抵抗とリファレンス抵抗接続用抵抗をそれぞれ設けたことを特徴とする請求項１に記載の抵抗測定装置。
【請求項６】
複数チャンネルのプルアップ抵抗またはプルダウン抵抗を備え、上記リファレンス抵抗接続用抵抗を複数のチャンネルで兼用したことを特徴とする請求項５に記載の抵抗測定装置。
【請求項７】
上記プルアップ抵抗またはプルダウン抵抗がダミー抵抗を有し、
プルアップ抵抗またはプルダウン抵抗のリファレンス抵抗への接続時に、上記ダミー抵抗を被測定抵抗に接続することを特徴とする請求項１に記載の抵抗測定装置。
【請求項８】
複数チャンネルのプルアップ抵抗またはプルダウン抵抗を備え、
上記ダミー抵抗を複数のチャンネルで兼用したことを特徴とする請求項７に記載の抵抗測定装置。
【請求項９】
複数チャンネルのプルアップ抵抗またはプルダウン抵抗を備えるとともに、絶対値の異なるリファレンス抵抗を複数個備えたことを特徴とする請求項１に記載の抵抗測定装置。
【請求項１０】
上記複数のリファレンス抵抗を直列接続したことを特徴とする請求項９に記載の抵抗測定装置。
【請求項１１】
上記請求項１〜１０のいずれかに記載の抵抗測定装置に用いる抵抗測定用集積回路であって、
上記プルアップ抵抗またはプルダウン抵抗及び上記スイッチ手段を集積化したことを特徴とする抵抗測定用集積回路。
【請求項１２】
上記リファレンス抵抗も内蔵したことを特徴とする請求項１１に記載の抵抗測定用集積回路。
【請求項１３】
請求項１１または請求項１２に記載された抵抗測定用集積回路と、
Ａ／Ｄ変換手段と、
上記Ａ／Ｄ変換手段の出力が入力されるとともに、上記抵抗測定用集積回路を制御する制御手段とよりなることを特徴とする抵抗測定装置。
【請求項１４】
上記制御手段が、プルアップ抵抗またはプルダウン抵抗のリファレンス抵抗への接続を間歇的に実施することを特徴とする請求項１３に記載の抵抗測定装置。
【請求項１５】
上記制御手段が、集積回路チップ温度の急激な変化時には、上記プルアップ抵抗またはプルダウン抵抗のリファレンス抵抗への接続を行わないことを特徴とする請求項１４に記載の抵抗測定装置。
【請求項１６】
被測定抵抗をプルアップ抵抗またはプルダウン抵抗に接続し、接続点の電圧を検出することにより被測定抵抗の抵抗値を測定する抵抗測定方法において、
プルアップ抵抗またはプルダウン抵抗を被測定抵抗とリファレンス抵抗との間で切替え、
上記プルアップ抵抗またはプルダウン抵抗を被測定抵抗に接続した時の接続点の電圧と、
上記プルアップ抵抗またはプルダウン抵抗をリファレンス抵抗に接続した時の接続点の電圧とを用いて、被測定抵抗を求めることを特徴とする抵抗測定方法。
【請求項１７】
プルアップ抵抗またはプルダウン抵抗及びリファレンス抵抗の電源側あるいは接地側の電圧を検出し、
上記プルアップ抵抗またはプルダウン抵抗を被測定抵抗に接続した時の接続点の電圧と、上記プルアップ抵抗またはプルダウン抵抗をリファレンス抵抗に接続した時の接続点の電圧と、上記電源側あるいは接地側の電圧とを用いて、被測定抵抗を求めることを特徴とする請求項１６に記載の抵抗測定方法。
【請求項１８】
プルアップ抵抗またはプルダウン抵抗及びリファレンス抵抗に任意の電圧を加えることを特徴とする請求項１７に記載の抵抗測定方法。
【発明の詳細な説明】
【０００１】
【発明の属する技術分野】
本発明は、温度センサとして用いられるサーミスタ等の可変抵抗器の抵抗値を測定する抵抗測定装置、抵抗測定用集積回路及び抵抗測定方法に関する。
【０００２】
【従来の技術】
従来より、温度に応じて抵抗値が変化するサーミスタを用いた温度センサが知られており、このような温度センサを用いて温度を測定する場合には、一端が所定電圧のプルアップ用電源に接続されたプルアップ抵抗の他端をサーミスタに接続し、プルアップ抵抗とサーミスタの接続点に生じる電圧値をＡ／Ｄ変換器に入力することにより、接続点の電圧値を検出し、この検出値からサーミスタの抵抗値を算出して、温度を測定している。
【０００３】
しかしながら、従来の抵抗測定装置では、プルアップ抵抗の抵抗値のばらつきに応じて、プルアップ抵抗とサーミスタとの接続点の電圧値もばらつくため、プルアップ抵抗として公差の小さい高精度の抵抗器を使用しなければならず、特にサーミスタが複数ある場合には、コストが大きくなってしまうという問題があった。
【０００４】
一方、装置を小型化するために、複数のプルアップ抵抗をＡ／Ｄ変換器とともに集積化することが行われている。この集積回路に内蔵する抵抗としてはポリシリコン抵抗や拡散抵抗があるが、これらの抵抗は±３０％程度の製造ばらつきと±０〜３０％程度の温度依存性を持っているため、抵抗値のばらつきや温度依存性が大きすぎ、プルアップ抵抗を集積化した場合、温度を正確に検出することができない。
【０００５】
この抵抗値のばらつきを抑えるため、複数のプルアップ抵抗をＩＣ化した場合に、その各抵抗値をレーザトリミングの技術によって個々に調整することも可能であるが、この場合には、製造コストや製造工数の増加を招いてしまうという問題が生じる。
このため、ＩＣ外に高精度の基準抵抗を設け、この基準抵抗に接続されるプルアップ抵抗を別途形成することにより、他のプルアップ抵抗の抵抗値を推定することが提案されている（例えば、特許文献１参照。）。
【０００６】
【特許文献１】
特開平８−２９４６３号公報
【０００７】
図１１は外部に高精度の基準抵抗を設けた従来の抵抗測定装置を示す図である。
図１１に示すように、プルアップ抵抗Ｒ１〜Ｒ３の一端がプルアップ用電源６に接続され、他端がサーミスタ１〜３に接続されるとともに、プルアップ抵抗Ｒ’の一端が同様にプルアップ用電源６に接続され、他端が高精度のリファレンス抵抗４に接続されている。そして、各プルアップ抵抗Ｒ１〜Ｒ３とサーミスタ１〜３との接続点及びプルアップ抵抗Ｒ’とリファレンス抵抗４との接続点の電圧をＡ／Ｄ変換器７の入力チャンネルＣＨ１〜ＣＨ３及びＣＨｒｅｆに入力して、それぞれの電圧値を検出する。
【０００８】
上記したように、ＩＣ内部に抵抗を形成した場合の抵抗値の絶対精度は±３０％と外付けの抵抗器に比べて劣るものの、同時に抵抗器を作ることにより、抵抗器相互間の相対精度を±５％以内に収めることができ、プルアップ抵抗Ｒ１〜Ｒ３及びＲ’は非常に小さい範囲内に同じ工程で各抵抗器を形成することにより、ばらつきを抑えることができる。したがって、上記Ａ／Ｄ変換器７のＣＨｒｅｆに入力された電圧値と電源６の電圧値及びリファレンス抵抗４の抵抗値からプルアップ抵抗Ｒ’の抵抗値を求めることができ、この抵抗値からプルアップ抵抗Ｒ１〜Ｒ３の抵抗値を推定することができるので、Ａ／Ｄ変換器７のＣＨ１〜ＣＨ３に入力された電圧の値から各サーミスタ１〜３の抵抗値を測定することができる。
【０００９】
【発明が解決しようとする課題】
従来の抵抗測定装置は上記のように構成されているが、上記の従来の抵抗測定装置では、プルアップ抵抗Ｒ’とプルアップ抵抗Ｒ１〜Ｒ３とが精度、温度依存性ともに酷似した特性であることを前提条件としており、これらの回路がチップの広範囲にまたがる場合や、ＩＣ内部の抵抗作成時にそれらの抵抗相互間の抵抗値誤差が生じた場合には、正確な抵抗値測定を行うことができない。
【００１０】
また、サーミスタ１〜３の抵抗値が大きく異なっている場合、高精度の測定を行うためには、プルアップ抵抗Ｒ１〜Ｒ３のそれぞれの抵抗値をサーミスタ１〜３の抵抗値に合わせて異ならせる必要があるが、上記の従来の抵抗測定装置では、プルアップ抵抗Ｒ１〜Ｒ３の抵抗値をプルアップ抵抗Ｒ’の抵抗値と同じ値にしなくてはならず、サーミスタ１〜３の抵抗値が大きく異なっていても、プルアップ抵抗１〜３の抵抗値を変えることができず、高精度の測定を行うことができないという問題も有った。
【００１１】
本発明は、上記の問題に鑑みてなされたもので、プルアップ抵抗またはプルダウン抵抗をＩＣ内部に形成しても高精度に抵抗測定を行うことができるとともに、測定ＩＣに接続される複数の被測定抵抗の抵抗値が大きく異なっていても、抵抗測定を高精度に行うことができる抵抗測定装置、抵抗測定用集積回路及び抵抗測定方法を提供することを目的とする。
【００１２】
【課題を解決するための手段】
上述の目的を達成するため、本発明に係る抵抗測定装置（１）は、
被測定抵抗をプルアップ抵抗またはプルダウン抵抗に接続し、接続点の電圧を検出することにより被測定抵抗の抵抗値を測定する抵抗測定装置において、
リファレンス抵抗と、
プルアップ抵抗またはプルダウン抵抗を被測定抵抗と上記リファレンス抵抗との間で切替える切替手段とを備え、
上記プルアップ抵抗またはプルダウン抵抗をリファレンス抵抗に接続した時の接続点の電圧により上記プルアップ抵抗またはプルダウン抵抗の抵抗値補正を行うことを特徴とする。
【００１３】
本発明に係る抵抗測定装置（１）によれば、切替手段、例えば切替スイッチにより、プルアップ抵抗またはプルダウン抵抗をリファレンス抵抗に接続した時の接続点の電圧によりプルアップ抵抗またはプルダウン抵抗の抵抗値を検出し、この抵抗値の変動による誤差を補正することができるので、例えば、温度変動の影響等によりプルアップ抵抗またはプルダウン抵抗の抵抗値が変動しても、被測定抵抗を精度よく測定することが出来る。
【００１４】
また、本発明に係る抵抗測定装置（２）は、抵抗測定装置（１）において、上記プルアップ抵抗またはプルダウン抵抗を複数個備え、上記リファレンス抵抗を複数個のプルアップ抵抗またはプルダウン抵抗の抵抗値補正に兼用したことを特徴とする。この抵抗測定装置（２）によれば、被測定抵抗の入力チャンネル数が増えても、リファレンス抵抗の本数を少なくすることができる。
【００１５】
また、本発明に係る抵抗測定装置（３）は、抵抗測定装置（１）において、プルアップ抵抗とプルダウン抵抗の両方を備え、上記リファレンス抵抗をプルアップ抵抗とプルダウン抵抗の抵抗値補正に兼用したことを特徴とする。この抵抗測定装置（３）によれば、プルアップ抵抗を備えたチャンネルとプルダウン抵抗を備えたチャンネルの両方がある場合にも、一つのリファレンス抵抗で両者の測定を行うことができる。
【００１６】
また、本発明に係る抵抗測定装置（４）は、抵抗測定装置（１）において、上記プルアップ抵抗またはプルダウン抵抗を被測定抵抗に接続するスイッチ手段と、上記プルアップ抵抗またはプルダウン抵抗を上記リファレンス抵抗に接続するスイッチ手段とを備え、上記両者のスイッチ手段の特性を同一としたことを特徴とする。この抵抗測定装置（４）によれば、スイッチ手段のオン抵抗の影響をキャンセルすることができるので、高精度な抵抗測定を行うことができる。
【００１７】
また、本発明に係る抵抗測定装置（５）は、抵抗測定装置（１）において、上記プルアップ抵抗またはプルダウン抵抗として被測定抵抗接続用抵抗とリファレンス抵抗接続用抵抗をそれぞれ設けたことを特徴とする。この抵抗測定装置（５）によれば、プルアップ抵抗またはプルダウン抵抗の抵抗値補正時に、外部負荷としての被測定抵抗を切り離す必要がなく、負荷がオープン処理される期間をなくすことができるので、負荷の一時的なオープンが問題となるようなシステムに有効である。
【００１８】
また、本発明に係る抵抗測定装置（６）は、抵抗測定装置（５）において、複数チャンネルのプルアップ抵抗またはプルダウン抵抗を備え、上記リファレンス抵抗接続用抵抗を複数のチャンネルで兼用したことを特徴とする。この抵抗測定装置（６）によれば、リファレンス抵抗接続用抵抗を複数のチャンネルで兼用することができるので、装置を集積化する場合に、チップ面積を縮小することができる。
【００１９】
また、本発明に係る抵抗測定装置（７）は、抵抗測定装置（１）において、上記プルアップ抵抗またはプルダウン抵抗がダミー抵抗を有し、プルアップ抵抗またはプルダウン抵抗のリファレンス抵抗への接続時に、上記ダミー抵抗を被測定抵抗に接続することを特徴とする。この抵抗測定装置（７）によれば、プルアップ抵抗またはプルダウン抵抗の抵抗値補正時には、被測定抵抗にダミー抵抗が接続されるので、負荷がオープン処理される期間をなくすことができるとともに、被測定抵抗の測定及びプルアップ抵抗またはプルダウン抵抗の抵抗値補正に同じ抵抗を使用するため、測定精度を高くすることができる。
【００２０】
また、本発明にかかる抵抗測定装置（８）は、抵抗測定装置（７）において、複数チャンネルのプルアップ抵抗またはプルダウン抵抗を備え、上記ダミー抵抗を複数のチャンネルで兼用したことを特徴とする。この抵抗測定装置（８）によれば、ダミー抵抗を複数のチャンネルで兼用することができるので、装置を集積化する場合に、チップ面積を縮小することができる。
【００２１】
また、本発明に係る抵抗測定装置（９）は、抵抗測定装置（１）において、複数チャンネルのプルアップ抵抗またはプルダウン抵抗を備えるとともに、絶対値の異なるリファレンス抵抗を複数個備えたことを特徴とする。この抵抗測定装置（９）によれば、プルアップ抵抗またはプルダウン抵抗の設定値が各チャンネル毎に異なっている場合にも、プルアップ抵抗またはプルダウン抵抗に応じた抵抗値のリファレンス抵抗を使用することができるので、測定精度を向上させることができる。
【００２２】
また、本発明に係る抵抗測定装置（１０）は、抵抗測定装置（９）において、上記複数のリファレンス抵抗を直列接続したことを特徴とする。この抵抗測定装置（１０）によれば、プルアップ抵抗またはプルダウン抵抗をリファレンス抵抗に接続する抵抗値補正時のリファレンス電圧の読取り箇所を少なくすることができ、Ａ／Ｄ変換器の入力チャンネル数を減らすことができる。
【００２３】
一方、本発明に係る抵抗測定用集積回路（１）は、抵抗測定装置（１）〜（１０）のいずれかに記載の抵抗測定装置に用いる抵抗測定用集積回路であって、プルアップ抵抗またはプルダウン抵抗及びスイッチ手段を集積化したことを特徴とする。この抵抗測定用集積回路（１）によれば、プルアップ抵抗またはプルダウン抵抗及びスイッチ手段のみを集積化するので、プルアップ抵抗またはプルダウン抵抗の設定値を変更する場合には、被測定抵抗の入力チャンネルにあらかじめプルアップ抵抗またはプルダウン抵抗とスイッチ手段の対を複数用意し、スイッチ経路を切り換えることで容易に対応することができる。
【００２４】
また、本発明に係る抵抗測定用集積回路（２）は、抵抗測定用集積回路装置（１）において、上記リファレンス抵抗も内蔵したことを特徴とする。この抵抗測定用集積回路（２）によれば、外付けのリファレンス抵抗を削除することができ、部品点数を削減することができる。
【００２５】
さらに、本発明に係る抵抗測定装置（１１）は、抵抗測定用集積回路（１）または（２）と、Ａ／Ｄ変換手段と、上記Ａ／Ｄ変換手段の出力が入力されるとともに、上記抵抗測定用集積回路を制御する制御手段とよりなることを特徴とする。この抵抗測定装置（１１）によれば、抵抗測定用集積回路、Ａ／Ｄ変換手段及び制御手段をそれぞれ別々に設計、製造することができ、設計変更が容易になるとともに、被測定抵抗の抵抗値の相違によりプルアップ抵抗またはプルダウン抵抗の設定値が異なる場合や、異なるＡ／Ｄ変換精度が必要な場合にも、適宜対応することができる。
【００２６】
また、本発明に係る抵抗測定装置（１２）は、抵抗測定装置（１１）において、上記制御手段が、プルアップ抵抗またはプルダウン抵抗のリファレンス抵抗への接続を間歇的に実施することを特徴とする。この抵抗測定装置（１２）によれば、抵抗値補正頻度を低減するとともに、後段の処理負荷を軽減することができる。
【００２７】
また、本発明に係る抵抗測定装置（１３）は、抵抗測定装置（１１）において、上記制御手段が、集積回路チップ温度の急激な変化時には、上記プルアップ抵抗またはプルダウン抵抗のリファレンス抵抗への接続を行わないことを特徴とする。この抵抗測定装置（１３）によれば、チップの温度が急激に上昇するようなモードではプルアップ抵抗またはプルダウン抵抗の抵抗値補正を行わないので、処理負荷を軽減するとともに、誤った抵抗値補正を行うことを防止することができる。
【００２８】
さらに、本発明に係る抵抗測定方法（１）は、被測定抵抗をプルアップ抵抗またはプルダウン抵抗に接続し、接続点の電圧を検出することにより被測定抵抗の抵抗値を測定する抵抗測定方法において、
プルアップ抵抗またはプルダウン抵抗を被測定抵抗とリファレンス抵抗との間で切替え、
上記プルアップ抵抗またはプルダウン抵抗を被測定抵抗に接続した時の接続点の電圧と、
上記プルアップ抵抗またはプルダウン抵抗をリファレンス抵抗に接続した時の接続点の電圧とを用いて、被測定抵抗を求めることを特徴とする。
【００２９】
本発明の抵抗測定方法（１）によれば、上記の抵抗測定装置（１）と同様に、プルアップ抵抗またはプルダウン抵抗をリファレンス抵抗に接続した時の接続点の電圧によりプルアップ抵抗またはプルダウン抵抗の抵抗値を検出し、この抵抗値の変動による誤差を補正することができるので、例えば、温度変動の影響等によりプルアップ抵抗またはプルダウン抵抗の抵抗値が変動しても、被測定抵抗を精度よく測定することが出来る。
【００３０】
また、本発明に係る抵抗測定方法（２）は、抵抗測定方法（１）において、プルアップ抵抗またはプルダウン抵抗及びリファレンス抵抗の電源側あるいは接地側の電圧を検出し、上記プルアップ抵抗またはプルダウン抵抗を被測定抵抗に接続した時の接続点の電圧と、上記プルアップ抵抗またはプルダウン抵抗をリファレンス抵抗に接続した時の接続点の電圧と、上記電源側あるいは接地側の電圧とを用いて、被測定抵抗を求めることを特徴とする。この抵抗測定方法（２）によれば、抵抗の電源側あるいは接地側の電圧も測定するので、集積回路内部での電圧ドロップや浮きがあっても補正を行うことができ、電源電圧や接地レベルが集積回路内部でずれても高精度に被測定抵抗を測定することができる。
【００３１】
また、本発明に係る抵抗測定方法（３）は、抵抗測定方法（２）において、プルアップ抵抗またはプルダウン抵抗及びリファレンス抵抗に任意の電圧を加えることを特徴とする。抵抗測定方法（２）では、電源電圧あるいは接地レベルを測定するので、プルアップ抵抗またはプルダウン抵抗あるいはレファレンス抵抗の接続先が電源電圧や接地レベルに限られず、任意の電圧を使用することができ、本発明に係る抵抗測定方法（３）によれば、システムの自由度を向上させることができる。
【００３２】
【発明の実施の形態】
以下、本発明の抵抗測定装置の実施の形態について、図面を用いて説明する。図１はプルアップ抵抗を用いた抵抗測定装置の実施の形態を示す図であり、１は温度に応じて抵抗値が変化するサーミスタ、４は高精度な抵抗値を有するリファレンス抵抗、Ｒ１はプルアップ抵抗、ＳＷ１は負荷接続用スイッチ、ＳＷ２はリファレンス抵抗接続用スイッチ、６はプルアップ用電源、７はＡ／Ｄ変換器であり、負荷接続用スイッチＳＷ１はプルアップ抵抗Ｒ１をサーミスタ１に接続し、リファレンス抵抗接続用スイッチＳＷ２はプルアップ抵抗Ｒ１をリファレンス抵抗４に接続するためのものである。
【００３３】
図１の抵抗測定装置の動作を説明すると、通常時は、負荷接続用スイッチＳＷ１がオン、リファレンス抵抗接続用スイッチＳＷ２がオフとなっており、このとき、スイッチＳＷ１とサーミスタ１の接続点Ｐ１の電圧Ｖ１がＡ／Ｄ変換器７のチャンネルＣＨ１に入力され、プルアップ抵抗の抵抗値補正時には、負荷接続用スイッチＳＷ１がオフ、リファレンス抵抗接続用スイッチＳＷ２がオンとなり、このとき、スイッチＳＷ２とリファレンス抵抗４の接続点Ｐ２の電圧ＶｒｅｆがＡ／Ｄ変換器７のチャンネルＣＨｒｅｆに入力される。
【００３４】
プルアップ抵抗Ｒ１の抵抗値をＲｐｕｐ、スイッチＳＷ１、ＳＷ２のスイッチオン抵抗をそれぞれＲｓｗ１、Ｒｓｗ２、リファレンス抵抗４の抵抗値をＲｒｅｆ、サーミスタ１の抵抗値をＲｓ、プルアップ電源用６の電圧値を５Ｖとすると、
Ｖ１＝５Ｖ・Ｒｓ／（Ｒｓ＋Ｒｓｗ１＋Ｒｐｕｐ）・・・（１）
Ｖｒｅｆ＝５Ｖ・Ｒｒｅｆ／（Ｒｒｅｆ＋Ｒｓｗ２＋Ｒｐｕｐ）・・・（２）
となるので、（１）式、（２）式より、
Ｒｐｕｐ＋Ｒｓｗ１＝Ｒｓ｛（５Ｖ／Ｖ１）−１｝・・・（３）
Ｒｐｕｐ＋Ｒｓｗ２＝Ｒｒｅｆ｛（５Ｖ／Ｖｒｅｆ）−１｝・・・（４）
であり、スイッチＳＷ１とＳＷ２の特性が同一でＲｓｗ１＝Ｒｓｗ２とすると、（３）式、（４）式よりサーミスタ１の抵抗値Ｒｓは、
Ｒｓ＝Ｒｒｅｆ｛（５Ｖ／Ｖｒｅｆ）−１｝／｛（５Ｖ／Ｖ１）−１｝
により求めることができ、プルアップ抵抗の抵抗値変動があっても高精度にサーミスタ１の抵抗値Ｒｓ求めることができる。
【００３５】
なお、上記の実施の形態では、スイッチＳＷ１とＳＷ２の特性を同一としたが、例えば、プルアップ抵抗Ｒ１の抵抗値Ｒｐｕｐが１００ｋΩ、スイッチＳＷ１、ＳＷ２のオン抵抗Ｒｓｗ１、Ｒｓｗ２が１０Ωというように、その比が０．０１％と、スイッチのオン抵抗が誤差要因とならない程度に小さい場合には、スイッチＳＷ１、ＳＷ２のスイッチ特性をマッチングさせる必要はなく、ＬＳＩ設計の容易化、簡素化を図ることができる。
【００３６】
次に、プルダウン抵抗を用いた抵抗測定装置の実施の形態を図２により説明する。図２おいて、１は温度に応じて抵抗値が変化するサーミスタ、４は高精度な抵抗値を有するリファレンス抵抗、Ｒ１１はプルダウン抵抗、ＳＷ１１は負荷接続用スイッチ、ＳＷ１２はリファレンス抵抗接続用スイッチ、８はプルダウン用電源、７はＡ／Ｄ変換器であり、プルダウン用電源８はサーミスタ１及びリファレンス抵抗４に加えられている。
【００３７】
そして、図１と同様に、通常時は、負荷接続用スイッチＳＷ１１がオン、リファレンス抵抗接続用スイッチＳＷ１２がオフとなっており、スイッチＳＷ１１とサーミスタ１の接続点Ｐ１１の電圧Ｖ１１がＡ／Ｄ変換器７のチャンネルＣＨ１に入力され、プルダウン抵抗Ｒ１１の抵抗値補正時には、負荷接続用スイッチＳＷ１１がオフ、リファレンス抵抗接続用スイッチＳＷ１２がオンとなり、スイッチＳＷ１２とリファレンス抵抗４の接続点Ｐ１２の電圧ＶｒｅｆがＡ／Ｄ変換器７のチャンネルＣＨｒｅｆに入力される。
したがって、図１と同様に、プルダウン抵抗１１の抵抗値の値に関わらず、サーミスタ１の抵抗値を高精度に測定することができる。
【００３８】
次に、サーミスタを複数個備え、プルアップ抵抗が複数チャンネルある場合の実施の形態について、図３により説明する。
図３において、１、２、３は温度に応じて抵抗値が変化する複数のサーミスタ、４は高精度な抵抗値を有するリファレンス抵抗、Ｒ１、Ｒ２、Ｒ３はプルアップ抵抗、ＳＷ１、ＳＷ３、ＳＷ５は負荷接続用スイッチ、ＳＷ２、ＳＷ４、ＳＷ６はリファレンス抵抗接続用スイッチ、６はプルアップ用電源、７はＡ／Ｄ変換器であり、このＡ／Ｄ変換器７はサーミスタ１〜３の電圧が入力されるチャンネルＣＨ１、ＣＨ２、ＣＨ３とリファレンス抵抗４の電圧が入力されるチャンネルＣＨｒｅｆの４つの電圧入力チャンネルを備え、リファレンス抵抗４は複数チャンネルのプルアップ抵抗に対して兼用して使用している。
【００３９】
そして、プルアップ抵抗Ｒ１、Ｒ２、Ｒ３の抵抗値補正時には、負荷接続用スイッチＳＷ１、ＳＷ３、ＳＷ５をオフし、リファレンス抵抗接続用スイッチＳＷ２、ＳＷ４、ＳＷ６を順次オンすることにより、プルアップ抵抗Ｒ１、Ｒ２、Ｒ３の抵抗値をＡ／Ｄ変換器７のチャンネルＣＨｒｅｆへの入力電圧から求めることができ、プルアップ抵抗１、Ｒ２、Ｒ３の抵抗値の値に関わらず、サーミスタ１、２、３の抵抗値を高精度に測定することができる。
【００４０】
また、本発明の抵抗測定装置は、サーミスタを複数個備え、プルダウン抵抗とプルアップ抵抗の両方を備えた抵抗測定装置にも適用することができ、図４はこのようにサーミスタを複数個備え、プルダウン抵抗とプルアップ抵抗の両方を備えた抵抗測定装置を示す図である。
図４において、１、２は温度に応じて抵抗値が変化する複数のサーミスタ、４は高精度な抵抗値を有するリファレンス抵抗、Ｒ１はプルアップ抵抗、Ｒ１１はプルダウン抵抗、ＳＷ１、ＳＷ１１は負荷接続用スイッチ、ＳＷ２、ＳＷ１２はリファレンス抵抗接続用スイッチ、６はプルアップ用電源、７はＡ／Ｄ変換器、８はプルダウン用電源、ＳＷ７はプルアップ測定とプルダウン測定の切替えスイッチであり、Ａ／Ｄ変換器７はサーミスタ１、２の電圧が入力されるチャンネルＣＨ１、ＣＨ２とリファレンス抵抗４の電圧が入力されるチャンネルＣＨｒｅｆの３つの電圧入力チャンネルを備え、リファレンス抵抗４はプルアップ抵抗Ｒ１及びプルダウン抵抗Ｒ１１に対して兼用して使用している。
【００４１】
そして、通常時は、負荷接続用スイッチＳＷ１、ＳＷ１１がオン、リファレンス抵抗接続用スイッチＳＷ２、ＳＷ１２がオフとなっており、サーミスタ１、２の電圧がＡ／Ｄ変換器７のチャンネルＣＨ１、ＣＨ２に入力されている。一方、プルアップ抵抗Ｒ１の抵抗値補正時には、スイッチＳＷ２がオン、スイッチＳＷ１、ＳＷ１１、ＳＷ１２がオフ、切替えスイッチＳＷ７が接地側に切替えられ、また、プルダウン抵抗Ｒ１１の抵抗値補正時には、スイッチＳＷ１２がオン、スイッチＳＷ１、ＳＷ２、ＳＷ１１がオフ、スイッチＳＷ７がプルダウン電源８側に切替えられ、スイッチＳＷ２、ＳＷ１２とリファレンス抵抗４の接続点の電圧がＡ／Ｄ変換器７のチャンネルＣＨｒｅｆに入力される。これにより、プルアップ抵抗Ｒ１、プルダウン抵抗１１の抵抗値の値に関わらず、サーミスタ１、２の抵抗値を高精度に測定することができる。
【００４２】
一方、大規模ＬＳＩの場合、電源、接地ラインは長い距離引き回されることが多いので、端子付近では電圧がドロップ、もしくは浮いている可能性がある。この電源電圧のドロップ、接地ラインの浮きによる検出精度の悪化を防止するため、プルアップ抵抗またはプルダウン抵抗の電源あるいは接地側の電位も測定し、これを抵抗値計算時に使用することにより、高精度に測定を行うことができる。
【００４３】
図５はこのように電源電圧のドロップの影響を除去する抵抗測定装置の実施の形態を示す図であり、図１と同様に、１は温度に応じて抵抗値が変化するサーミスタ、４は高精度な抵抗値を有するリファレンス抵抗、Ｒ１はプルアップ抵抗、ＳＷ１は負荷接続用スイッチ、ＳＷ２はリファレンス抵抗接続用スイッチ、６はプルアップ用電源、７はＡ／Ｄ変換器、ΔＶは電源電圧の電源ドロップであり、Ａ／Ｄ変換器７はサーミスタ１、リファレンス抵抗４の電圧が入力されるチャンネルＣＨ１、ＣＨｒｅｆと電源電圧が入力されるチャンネルＣＨｖの３つの電圧入力チャンネルを備えている。
【００４４】
この実施の形態では、Ａ／Ｄ変換器７のチャンネルＣＨｖに入力された電圧をＡ／Ｄ変換した値をプルアップ電源の電圧値として計算を行うことにより、電源電圧のドロップの影響を除去することができる。同様に、プルダウン抵抗の接地電圧を検出するチャンネルをＡ／Ｄ変換器７に設ければ、接地が浮いている場合にも、同様に補正を行うことができる。
このように電源電圧あるいは接地電圧を検出するようにすれば、プルアップ抵抗又はプルダウン抵抗の接続先やリファレンス抵抗の接続先に電源、接地以外の任意の電圧を使用することができ、システムの自由度を向上させることができる。
【００４５】
以上の実施の形態では、プルアップ抵抗またはプルダウン抵抗の抵抗値補正時に、外部のサーミスタを切り離したが、このようにサーミスタを切り離した状態では、Ａ／Ｄ変換器の入力電圧が異常になり、一時的にでも負荷がオープンになる状態が問題となるシステムには使用することができない。このため、プルアップ抵抗またはプルダウン抵抗として負荷接続用プルアップ抵抗またはプルダウン抵抗とリファレンス抵抗接続用プルアップ抵抗又はプルダウン抵抗を設け、サーミスタにプルアップ抵抗を常時接続すれば、上記の不具合を防止することができる。
【００４６】
図６は上記のように、サーミスタにプルアップ抵抗を常時接続するようにした抵抗測定装置の実施の形態を示す図であり、図６において、１、２、３は温度に応じて抵抗値が変化する複数のサーミスタ、４は高精度な抵抗値を有するリファレンス抵抗、Ｒ１、Ｒ２、Ｒ３は負荷接続用プルアップ抵抗、Ｒ４、Ｒ５、Ｒ６はリファレンス抵抗接続用プルアップ抵抗、ＳＷ１、ＳＷ３、ＳＷ５は負荷接続用スイッチ、ＳＷ２、ＳＷ４、ＳＷ６はリファレンス抵抗接続用スイッチ、６はプルアップ用電源、７はＡ／Ｄ変換器であり、このＡ／Ｄ変換器７はサーミスタ１〜３の電圧が入力されるチャンネルＣＨ１、ＣＨ２、ＣＨ３とリファレンス抵抗４の電圧が入力されるチャンネルＣＨｒｅｆの４つの電圧入力チャンネルを備え、リファレンス抵抗４は複数チャンネルのプルアップ抵抗に対して兼用して使用している。また、負荷接続用スイッチＳＷ１、ＳＷ３、ＳＷ５は常時オンとなっており、リファレンス抵抗接続用プルアップ抵抗Ｒ４、Ｒ５、Ｒ６はそれぞれプルアップ抵抗Ｒ１、Ｒ２、Ｒ３と酷似した特性を有する抵抗であり、リファレンス抵抗を接続するための専用抵抗である。
【００４７】
そして、プルアップ抵抗Ｒ１、Ｒ２、Ｒ３の抵抗値補正時には、リファレンス抵抗接続用スイッチＳＷ２、ＳＷ４、ＳＷ６を順次オンすることにより、リファレンス接続用プルアップ抵抗Ｒ４、Ｒ５、Ｒ６が順次リファレンス抵抗４に接続され、負荷接続用プルアップ抵抗Ｒ１、Ｒ２、Ｒ３の抵抗値とほぼ等しい抵抗値に応じた電圧がＡ／Ｄ変換器７のチャンネルＣＨｒｅｆに入力されるので、負荷接続用プルアップ抵抗１、Ｒ２、Ｒ３の抵抗値の値に関わらず、サーミスタ１、２、３の抵抗値を高精度に測定することができる。このように、負荷接続用プルアップ抵抗１、Ｒ２、Ｒ３が常にサーミスタ１〜３に接続されているため、負荷がオープン処理される期間をなくすことができるので、一時的な負荷オープンが問題となるようなシステムに使用することができる。
【００４８】
なお、上記の実施の形態では、負荷接続用プルアップ抵抗Ｒ１、Ｒ２、Ｒ３に負荷接続用スイッチＳＷ１、ＳＷ３、ＳＷ５を接続し、常時オンにして使用したが、リファレンス抵抗接続用スイッチＳＷ２、ＳＷ４、ＳＷ６のスイッチオン抵抗が十分に小さく、無視できるような場合には、負荷接続用スイッチＳＷ１、ＳＷ３、ＳＷ５を設けず、ショートさせてもよい。また、上記の実施の形態では、負荷接続用プルアップ抵抗Ｒ１、Ｒ２、Ｒ３のそれぞれにリファレンス抵抗接続用抵抗Ｒ４、Ｒ５、Ｒ６を設けたが、複数チャンネルのプルアップ抵抗がチップ上で近接して配置されている場合には、複数チャンネル分のリファレンス抵抗接続用プルアップ抵抗を一つのリファレンス抵抗接続用プルアップ抵抗で兼用することもでき、このようにリファレンス抵抗接続用プルアップ抵抗を複数チャンネル分兼用すれば、チップ面積を縮小することが可能である。
【００４９】
さらに、図６の実施の形態では、リファレンス抵抗接続用プルアップ抵抗Ｒ４、Ｒ５、Ｒ６を用いて、プルアップ抵抗の抵抗値補正を行ったが、プルアップ抵抗の抵抗値補正時にサーミスタに接続するダミー抵抗を設け、プルアップ抵抗自体を用いてプルアップ抵抗の抵抗値補正を行うことも可能である。
【００５０】
図７は、サーミスタに接続するダミー抵抗を設けた実施の形態を示す図であり、図７において、１、２、３は温度に応じて抵抗値が変化する複数のサーミスタ、４は高精度な抵抗値を有するリファレンス抵抗、Ｒ１、Ｒ２、Ｒ３はプルアップ抵抗、Ｒ７、Ｒ８、Ｒ９はプルアップ抵抗補正時にサーミスタに接続するダミー抵抗、ＳＷ８、ＳＷ９、ＳＷ１０は切替えスイッチ、ＳＷ２、ＳＷ４、ＳＷ６はリファレンス抵抗接続用スイッチ、６はプルアップ用電源、７はＡ／Ｄ変換器であり、このＡ／Ｄ変換器７はサーミスタ１〜３の電圧が入力されるチャンネルＣＨ１、ＣＨ２、ＣＨ３とリファレンス抵抗４の電圧が入力されるチャンネルＣＨｒｅｆの４つの電圧入力チャンネルを備え、リファレンス抵抗４は複数チャンネルのプルアップ抵抗に対して兼用して使用している。また、切替えスイッチＳＷ８、ＳＷ９、ＳＷ１０は負荷測定時にはサーミスタ１、２、３をプルアップ抵抗Ｒ１、Ｒ２、Ｒ３に接続し、プルアップ抵抗の抵抗値補正時には、サーミスタ１〜３をダミー抵抗Ｒ７、Ｒ８、Ｒ９に接続するようにスイッチの接点を切替え、ダミー抵抗Ｒ７、Ｒ８、Ｒ９は図６と同様に、プルアップ抵抗Ｒ１、Ｒ２、Ｒ３と酷似した特性を有する抵抗である。
【００５１】
そして、プルアップ抵抗Ｒ１、Ｒ２、Ｒ３の抵抗値補正時には、リファレンス抵抗接続用スイッチＳＷ２、ＳＷ４、ＳＷ６が順次オンされるとともに、スイッチＳＷ２、ＳＷ４、ＳＷ６のオン動作に同期して切替えスイッチＳＷ８、ＳＷ９、ＳＷ１０の接点が順次ダミー抵抗Ｒ７、Ｒ８、Ｒ９側に切替えられる。これにより、プルダウン抵抗Ｒ１、Ｒ２、Ｒ３の抵抗値に応じた電圧がＡ／Ｄ変換器７のチャンネルＣＨｒｅｆに入力されるので、プルアップ抵抗１、Ｒ２、Ｒ３の抵抗値の値に関わらず、サーミスタ１、２、３の抵抗値を高精度に測定することができる。このように、プルアップ抵抗の抵抗値補正時に、ダミー抵抗をサーミスタに接続することにより、負荷オープンの状態を避けることができるとともに、プルアップ抵抗Ｒ１、Ｒ２、Ｒ３自体を用いて抵抗値補正を行うので、検出精度を高くすることができる。
【００５２】
なお、上記の実施の形態では、プルアップ抵抗Ｒ１、Ｒ２、Ｒ３のそれぞれにダミー抵抗Ｒ７、Ｒ８、Ｒ９を設けたが、ダミー抵抗はプルアップ抵抗の抵抗値補正には使用していないので、複数チャンネル分のダミー抵抗を一つのダミー抵抗で兼用することができ、このようにダミー抵抗を複数チャンネル分兼用すれば、チップ面積を縮小することが可能である。
【００５３】
一方、高精度の抵抗測定を行うためには、サーミスタの抵抗値に応じてプルアップ抵抗またはプルダウン抵抗の設定値を変更する必要が有り、複数チャンネルのプルアップ抵抗またはプルダウン抵抗の設定値に差がある場合には、各チャンネルでリファレンス抵抗を兼用すると、リファレンス抵抗の検出誤差が悪化する。すなわち、リファレンス抵抗の抵抗値とプルアップ抵抗またはプルダウン抵抗の抵抗値はほぼ等しくするのが望ましく、その差が大きいと誤差が大きくなる。このため、プルアップ抵抗またはプルダウン抵抗の設定値に差がある場合には、絶対値の異なるリファレンス抵抗を複数個使用することが好ましい。
【００５４】
図８は上記のように、絶対値の異なるリファレンス抵抗を複数個使用した抵抗測定装置の実施の形態を示す図であり、図８において、１、２、３は温度に応じて抵抗値が変化する複数のサーミスタ、４、５は高精度な抵抗値を有するリファレンス抵抗、Ｒ１、Ｒ２、Ｒ３はプルアップ抵抗、ＳＷ１、ＳＷ３、ＳＷ５は負荷接続用スイッチ、ＳＷ２、ＳＷ４、ＳＷ６はリファレンス抵抗接続用スイッチ、６はプルアップ用電源、７はＡ／Ｄ変換器であり、このＡ／Ｄ変換器７はサーミスタ１〜３の電圧が入力されるチャンネルＣＨ１、ＣＨ２、ＣＨ３とリファレンス抵抗４、５の電圧が入力されるチャンネルＣＨｒｅｆ１、ＣＨｒｅｆ２の５つの電圧入力チャンネルを備えている。そして、リファレンス抵抗４の抵抗値は１００ｋΩであり、抵抗値１００ｋΩのプルアップ抵抗Ｒ１の抵抗値補正時にプルアップ抵抗Ｒ１に接続され、リファレンス抵抗５の抵抗値は５０ｋΩであり、抵抗値５０ｋΩのプルアップ抵抗Ｒ２、Ｒ３の抵抗値補正時にプルアップ抵抗Ｒ２、Ｒ３に接続される。
このように、プルアップ抵抗またはプルダウン抵抗の大、小に応じて異なるリファレンス抵抗を用いることにより、検出精度の悪化を防止することができる。
【００５５】
図８の実施の形態では、複数個のリファレンス抵抗を用いているので、Ａ／Ｄ変換器のリファレンス抵抗接続用のチャンネルが複数個必要となったが、リファレンス抵抗の接続方法を工夫することにより、Ａ／Ｄ変換器の測定用チャンネルの数を減らすことができ、図９はこのようにリファレンス抵抗の接続方法を工夫した抵抗測定装置の実施の形態を示す図である。
【００５６】
図９に示すように、この実施の形態では、リファレンス抵抗４とリファレンス抵抗５はそれぞれ５０ｋΩの抵抗値を有し、直列接続されており、リファレンス抵抗４とリファレンス抵抗５の接続点がリファレンス抵抗接続用スイッチＳＷ４、ＳＷ６に接続され、リファレンス抵抗４の他方の一端がリファレンス抵抗接続用スイッチＳＷ２に接続されている。したがって、プルアップ抵抗Ｒ１の抵抗値補正時にはリファレンス抵抗４、５が直列接続された抵抗、すなわち、１００ｋΩの抵抗が接続され、プルアップ抵抗Ｒ２、Ｒ３の抵抗値補正時にはリファレンス抵抗５のみ、即ち５０ｋΩの抵抗が接続されることになり、Ａ／Ｄ変換器のレファレンス電圧測定用の一つのチャンネルＣＨｒｅｆで抵抗値の異なる複数のプルアップ抵抗の抵抗値補正を行うことができる。
【００５７】
図１０は本発明の抵抗測定装置の全体回路のブロック図の一例を示す図であり、プルアップ抵抗Ｒ１、スイッチＳＷ１、ＳＷ２がＩＣ化された集積回路９、Ａ／Ｄ変換器７及びＣＰＵ１０よりなり、ＣＰＵ１０はＡ／Ｄ変換器７の出力が入力され、上記で説明した抵抗値演算を実施するとともに、抵抗測定用集積回路９のスイッチＳＷ１、ＳＷ２を切替え制御する。このように、プルアップ抵抗Ｒ１、スイッチＳＷ１、ＳＷ２をＩＣ化することにより、抵抗測定用集積回路、Ａ／Ｄ変換器及びＣＰＵをそれぞれ別々に設計、製造することができ、設計変更が容易になるとともに、プルアップ抵抗またはプルダウン抵抗の設定値が異なる場合や、異なる精度のＡ／Ｄ変換精度が必要な場合にも、適宜対応することが容易になる。
【００５８】
一方、プルアップ抵抗の抵抗値補正は装置の温度変化スピードに対し、速い速度で更新できればよいので、プルアップ抵抗の抵抗値補正を常時実施する必要はなく、上記ＣＰＵ１０が、例えば、１００ｍｓ程度の間隔でプルアップ抵抗をリファレンス抵抗に接続するようにスイッチＳＷ１、ＳＷ２を制御すればよい。
また、大電流ドライブ時、クランプ回路動作時等、過渡的な温度上昇が起きる場合のように、チップの温度が急激に上昇するようなモードでは、ＣＰＵがスイッチＳＷ１、ＳＷ２を切替え制御しないようにすることにより、温度急変時の誤測定を防止することができる。なお、この場合、スイッチＳＷ１、ＳＷ２の切替え制御を行わないのではなく、Ａ／Ｄ変換器による測定を行わない、あるいは、ＣＰＵへの信号取り込みを行わないようにすることも可能である。
【００５９】
また、図１０で説明した集積回路９ではプルアップ抵抗Ｒ１とスイッチＳＷ１、ＳＷ２のみをＩＣ化したが、集積回路９にリファレンス抵抗４を内蔵することも可能であり、このようにすれば外付けのリファレンス抵抗を削除することができ、部品点数を削減することができる。この場合、ＩＣ製造後、リファレンス抵抗の抵抗値をレーザトリミングの技術によって調整することにより、高精度のリファレンス抵抗を内蔵させることができる。
【００６０】
なお、以上の実施の形態では、本発明の抵抗測定装置を温度測定用サーミスタに適用した例を説明したが、本発明の抵抗測定装置は圧力センサ等様々な抵抗の抵抗値測定に適用することができる。
また、図１０に示した全体回路ブロック図の集積回路は図１の回路をＩＣ化した例を示す図であるが、図２〜図９に示した回路のスイッチ及びプルアップ抵抗またはプルダウン抵抗、あるいはダミー抵抗も同様に集積回路化することが可能である。
【００６１】
【発明の効果】
以上詳述したように、本発明に係る抵抗測定装置によれば、プルアップ抵抗またはプルダウン抵抗をリファレンス抵抗に接続した時の接続点の電圧によりプルアップ抵抗またはプルダウン抵抗の抵抗値を検出し、この抵抗値の変動による誤差を補正することができるので、例えば、温度変動の影響等によりプルアップ抵抗またはプルダウン抵抗の抵抗値が変動しても、被測定抵抗を精度よく測定することが出来る。
【００６２】
また、プルアップ抵抗またはプルダウン抵抗を複数個備え、リファレンス抵抗を複数個のプルアップ抵抗またはプルダウン抵抗の抵抗値補正に兼用すれば、被測定抵抗の入力チャンネル数が増えても、リファレンス抵抗の本数を少なくすることができ、プルアップ抵抗とプルダウン抵抗の両方を備え、リファレンス抵抗をプルアップ抵抗とプルダウン抵抗の抵抗値補正に兼用すれば、プルアップ抵抗を備えたチャンネルとプルダウン抵抗を備えたチャンネルの両方がある場合にも、リファレンス抵抗の数を少なくすることができる。さらに、プルアップ抵抗またはプルダウン抵抗を被測定抵抗に接続するスイッチ手段と、プルアップ抵抗またはプルダウン抵抗をリファレンス抵抗に接続するスイッチ手段とを設け、両者のスイッチ手段の特性を同一とすれば、スイッチ手段のオン抵抗の影響をキャンセルすることができるので、高精度な抵抗測定を行うことができる。
【００６３】
また、プルアップ抵抗またはプルダウン抵抗として被測定抵抗接続用抵抗とリファレンス抵抗接続用抵抗をそれぞれ設ければ、プルアップ抵抗またはプルダウン抵抗の抵抗値補正時に、外部負荷としての被測定抵抗を切り離すことがなく、負荷がオープン処理される期間をなくすことができるので、負荷の一時的なオープンが問題となるようなシステムに有効であり、リファレンス抵抗接続用抵抗を複数のチャンネルで兼用すれば、装置を集積化する場合に、チップ面積を縮小することができる。
【００６４】
また、プルアップ抵抗またはプルダウン抵抗にダミー抵抗を設け、プルアップ抵抗またはプルダウン抵抗の抵抗値補正時に、ダミー抵抗を被測定抵抗に接続すれば、負荷がオープン処理される期間をなくすことができるとともに、被測定抵抗の測定及びプルアップ抵抗またはプルダウン抵抗の抵抗値補正に同じ抵抗を使用するため、測定精度を高くすることができ、さらに、ダミー抵抗を複数のチャンネルで兼用すれば、装置を集積化する場合に、チップ面積を縮小することができる。
【００６５】
また、複数チャンネルのプルアップ抵抗またはプルダウン抵抗を備える場合に、絶対値の異なるリファレンス抵抗を複数個設ければ、プルアップ抵抗またはプルダウン抵抗の設定値が各チャンネル毎に異なっている場合にも、各チャンネルに応じた抵抗値のリファレンス抵抗を使用することができるので、プルアップ抵抗またはプルダウン抵抗とリファレンス抵抗の抵抗値の差による誤差を防止し、測定精度を向上させることができ、また、上記複数のリファレンス抵抗を直列接続すれば、プルアップ抵抗またはプルダウン抵抗をリファレンス抵抗に接続する抵抗値補正時のリファレンス電圧の読取り箇所を少なくすることができる。
【００６６】
一方、本発明に係る抵抗測定用集積回路によれば、プルアップ抵抗またはプルダウン抵抗及びスイッチ手段のみを集積化するので、プルアップ抵抗またはプルダウン抵抗の設定値を変更する必要がある場合には、被測定抵抗の入力チャンネルにあらかじめプルアップ抵抗またはプルダウン抵抗とスイッチ手段の対を複数用意し、スイッチ経路を切り換えることで容易に対応することができ、また、リファレンス抵抗も内蔵すれば、外付けのリファレンス抵抗を削除することができ、部品点数を削減することができる。
【００６７】
さらに、本発明に係る抵抗測定装置を、抵抗測定用集積回路と、Ａ／Ｄ変換手段と、Ａ／Ｄ変換手段の出力が入力されるとともに、上記抵抗測定用集積回路を制御する制御手段とより構成すれば、抵抗測定用集積回路、Ａ／Ｄ変換手段及び制御手段をそれぞれ別々に設計、製造することができ、設計変更が容易になるとともに、プルアップ抵抗またはプルダウン抵抗の設定値が異なる場合や、異なるＡ／Ｄ変換精度が必要な場合にも、適宜対応することが可能である。また、上記制御手段が、プルアップ抵抗またはプルダウン抵抗のリファレンス抵抗への接続を間歇的に実施すれば、抵抗値補正頻度を低減するとともに、後段の処理負荷を軽減することができ、上記制御手段が、チップ温度の急激な変化時には、上記プルアップ抵抗またはプルダウン抵抗の抵抗値補正を行わないようにすれば、処理負荷を軽減するとともに、誤った抵抗値補正を行うことを防止することができる。
【００６８】
一方、本発明の抵抗測定方法によれば、プルアップ抵抗またはプルダウン抵抗をリファレンス抵抗に接続した時の接続点の電圧によりプルアップ抵抗またはプルダウン抵抗の抵抗値補正を行うことができるので、例えば、温度変動の影響等によりプルアップ抵抗またはプルダウン抵抗の抵抗値が変動しても、被測定抵抗を精度よく測定することができ、また、プルアップ抵抗またはプルダウン抵抗及びリファレンス抵抗の電源側あるいは接地側の電圧も検出すれば、集積回路内部での電圧ドロップや浮きがあっても補正することができるので、電源電圧や接地レベルが集積回路内部でずれても高精度に被測定抵抗を測定することができ、この場合、プルアップ抵抗またはプルダウン抵抗あるいはレファレンス抵抗の接続先が電源電圧や接地レベルに限られないので、任意の電圧を使用することができ、システムの自由度を向上させることができる。
【図面の簡単な説明】
【図１】本発明の実施の形態に係る抵抗測定装置を示す図である。
【図２】本発明の他の実施の形態に係る抵抗測定装置を示す図である。
【図３】本発明の他の実施の形態に係る抵抗測定装置を示す図である。
【図４】本発明の他の実施の形態に係る抵抗測定装置を示す図である。
【図５】本発明の他の実施の形態に係る抵抗測定装置を示す図である。
【図６】本発明の他の実施の形態に係る抵抗測定装置を示す図である。
【図７】本発明の他の実施の形態に係る抵抗測定装置を示す図である。
【図８】本発明の他の実施の形態に係る抵抗測定装置を示す図である。
【図９】本発明の他の実施の形態に係る抵抗測定装置を示す図である。
【図１０】本発明の抵抗測定装置の全体構成を示すブロック図である。
【図１１】従来の抵抗測定装置を示す図である。
【符号の説明】
１〜３  サーミスタ
４、５  リファレンス抵抗
６  プルアップ用電源
７  Ａ／Ｄ変換器
８  プルダウン用電源
９  集積回路
１０  ＣＰＵ
Ｒ１〜Ｒ３  プルアップ抵抗
Ｒ１１  プルダウン抵抗
Ｒ４〜Ｒ６  リファレンス抵抗接続用プルアップ抵抗
Ｒ７〜Ｒ９  ダミー抵抗
ＳＷ１、ＳＷ３、ＳＷ５、ＳＷ１１  負荷接続用スイッチ
ＳＷ２、ＳＷ４、ＳＷ６、ＳＷ１２  リファレンス抵抗接続用スイッチ
ＳＷ７、ＳＷ８、ＳＷ９、ＳＷ１０  切り替えスイッチ
【図１】
2005003596.tif 000003
【図２】
2005003596.tif 000004
【図３】
2005003596.tif 000005
【図４】
2005003596.tif 000006
【図５】
2005003596.tif 000007
【図６】
2005003596.tif 000008
【図７】
2005003596.tif 000009
【図８】
2005003596.tif 000010
【図９】
2005003596.tif 000011
【図１０】
2005003596.tif 000012
【図１１】
2005003596.tif 000013